(57)【要約】【課題】画像記憶のための容量を小さく抑えつつ、より表現力のある画像を表示させる。【解決手段】文字を含んだ画像を入力する入出力コネクタ部11，入出力Ｉ／Ｆ12と、入力した画像を投影する投影系13〜27と、入力した画像中から画像全体の背景色を判断し、入力した画像中から画像全体の背景色とは異なる背景色の文字部分を区分して抽出し、入力した画像を投影させる際、抽出した文字部分を当該背景色のみで投影させた後に、文字部分を加えた表示に移行させる制御系28〜30とを備える。【選択図】      図１
2010026239.tif 000002
【特許請求の範囲】
【請求項１】
画像全体の第１の背景色、上記第１の背景色とは異なる第２の背景色、及び所定の情報を含む画像が入力される入力手段と、
上記入力手段で入力された画像を表示する表示手段と、
上記入力手段で入力された画像中から画像全体の第１の背景色を判断する背景色判断手段と、
上記入力手段で入力された画像中から上記背景色判断手段で判断した画像全体の第１の背景色とは異なる第２の背景色を区分して抽出する抽出手段と、
上記入力手段で入力した画像を上記表示手段で表示させる際、上記抽出手段で抽出した上記第２の背景色内を所定の背景色のみで表示させる表示制御手段と
を具備したことを特徴とする表示装置。
【請求項２】
上記第２の背景色内には、所定の情報が含まれていることを特徴とする請求項１記載の表示装置。
【請求項３】
上記表示制御手段は、上記抽出手段で抽出した上記第２の背景色内を、所定の背景色で表示させた後に、所定の情報部分を加えた表示に移行させることを特徴とする請求項１または２記載の表示装置。
【請求項４】
上記表示制御手段は、上記当該所定の背景色のみの表示から所定の情報部分を加えた表示への移行を複数段階に分けて実行することを特徴とする請求項１記載の表示装置。
【請求項５】
上記表示制御手段は、画像全体の第１の背景色とは異なる第２の背景色の所定の情報部分が複数ある場合に、上記所定の情報部分と上記当該第２の背景色の表示とを当該所定の背景色のみで表示させた後に、所定の情報部分を加えた表示への移行を１つずつ順次実行することを特徴とする請求項１記載の表示装置。
【請求項６】
上記表示制御手段は、画像全体の第１の背景色とは異なる第２の背景色の所定の情報部分が複数ある場合に、複数の所定の情報部分を複数の色に変えて表示させることを特徴とする請求項１記載の表示装置。
【請求項７】
上記所定の情報は、文字、数字、記号、シンボルマーク、及び画像の少なくとも１つであることを特徴とする請求項１乃至５いずれか記載の表示装置。
【請求項８】
所定の情報を含んだ画像を入力して表示する表示装置での表示方法であって、
上記入力した画像中から画像全体の第１の背景色を判断する背景色判断工程と、
上記入力した画像中から上記背景色判断工程で判断した画像全体の第１の背景色とは異なる第２の背景色を区分して抽出する抽出工程と、
上記入力した画像を表示させる際、上記抽出工程で抽出した当該第２の背景色内を、所定の背景色のみで表示させた後に、所定の情報部分を加えた表示に移行させる表示制御工程と
を有したことを特徴とする表示方法。
【請求項９】
上記第２の背景色内には、所定の情報が含まれていることを特徴とする請求項８記載の表示方法。
【請求項１０】
上記所定の情報は、文字、数字、記号、シンボルマーク、及び画像の少なくとも１つであることを特徴とする請求項８または９記載の表示方法。  
【請求項１１】
所定の情報を含んだ画像を入力して表示する表示装置が内蔵するコンピュータが実行するプログラムであって、
上記入力した画像中から画像全体の第１の背景色を判断する背景色判断ステップと、
上記入力した画像中から上記背景色判断ステップで判断した画像全体の第１の背景色とは異なる第２の背景色を区分して抽出する抽出ステップと、
上記入力した画像を表示させる際、上記抽出ステップで抽出した当該第２の背景色内を、所定の背景色のみで表示させた後に、所定の情報部分を加えた表示に移行させる表示制御ステップと
をコンピュータに実行させることを特徴とするプログラム。
【請求項１２】
上記第２の背景色内には、所定の情報が含まれていることを特徴とする請求項１１記載のプログラム。
【請求項１３】
上記所定の情報は、文字、数字、記号、シンボルマーク、及び画像の少なくとも１つであることを特徴とする請求項１１または１２記載のプログラム。
【発明の詳細な説明】
【技術分野】
【０００１】
本発明は、例えばパーソナルコンピュータを接続しないでプレゼンテーションを行なうデータプロジェクタ装置等に好適な表示装置、表示方法及びプログラムに関する。
【背景技術】
【０００２】
パーソナルコンピュータの普及に伴い、パーソナルコンピュータをデータプロジェクタ装置と接続し、パーソナルコンピュータ側でプレゼンテーション用プログラムを実行することで訴求力を持ったプレゼンテーションを実施することが広く一般化している。
【０００３】
これに伴い、例えば、プレゼンテーション用の資料頁毎に時間配分を知らせることでスムーズな発表の補助を可能とするような技術も考えられている（特許文献１）
【特許文献１】特開２００７−２６４５７５号公報
【発明の開示】
【発明が解決しようとする課題】
【０００４】
この種のプロジェクタ装置で、パーソナルコンピュータを接続せずにほぼ同様のプレゼンテーションを実施する手段として、プレゼンテーション用の資料頁をすべて画像化して一連の画像データファイルを作成した後にＵＳＢメモリに記憶させ、プレゼンテーション実行時にはプロジェクタ装置に当該ＵＳＢメモリを装着することで、記憶されている画像を順次読出して投影するようにした技術が確立されている。
【０００５】
上記技術では、資料頁はすべて固定化された画像として取扱われる。そのため、本来のプレゼンテーション用プログラムでは、資料頁内で部分的に例えば文字列などが移動、点滅、変色等の手段で画像が変化する状態を表現可能であるのに対して、上記ＵＳＢメモリを用いた技術でそれをそのまま再現することはできない。
【０００６】
それでもあえてプレゼンテーション用プログラムと同様の表現力を実現しようとすると、変化の過程をすべて独立した画像を用意せざるをえず、膨大な数の画像をＵＳＢメモリに記憶するために必要な記憶容量がきわめて大きくなるなど、現実的ではない。
【０００７】
本発明は上記のような実情に鑑みてなされたもので、その目的とするところは、見せたくない情報を隠すことができ、さらには画像記憶のための容量を小さく抑えながら、より表現力のある画像を表示させることが可能な表示装置、表示方法及びプログラムを提供することにある。
【課題を解決するための手段】
【０００８】
請求項１記載の発明は、画像全体の第１の背景色、上記第１の背景色とは異なる第２の背景色、及び所定の情報を含む画像が入力される入力手段と、上記入力手段で入力された画像を表示する表示手段と、上記入力手段で入力された画像中から画像全体の第１の背景色を判断する背景色判断手段と、上記入力手段で入力された画像中から上記背景色判断手段で判断した画像全体の第１の背景色とは異なる第２の背景色を区分して抽出する抽出手段と、上記入力手段で入力した画像を上記表示手段で表示させる際、上記抽出手段で抽出した上記第２の背景色内を所定の背景色のみで表示させる表示制御手段とを具備したことを特徴とする。
【０００９】
請求項２記載の発明は、上記請求項１記載の発明において、上記第２の背景色内には、所定の情報が含まれていることを特徴とする。
【００１０】
請求項３記載の発明は、上記請求項１または２記載の発明において、上記表示制御手段は、上記抽出手段で抽出した上記第２の背景色内を、所定の背景色で表示させた後に、所定の情報部分を加えた表示に移行させることを特徴とする。
【００１１】
請求項４記載の発明は、上記請求項１記載の発明において、上記表示制御手段は、上記当該所定の背景色のみの表示から所定の情報部分を加えた表示への移行を複数段階に分けて実行することを特徴とする。
【００１２】
請求項５記載の発明は、上記請求項１記載の発明において、上記表示制御手段は、画像全体の第１の背景色とは異なる第２の背景色の所定の情報部分が複数ある場合に、上記所定の情報部分と上記当該第２の背景色の表示とを当該所定の背景色のみで表示させた後に、所定の情報部分を加えた表示への移行を１つずつ順次実行することを特徴とする。
【００１３】
請求項６記載の発明は、上記請求項１記載の発明において、上記表示制御手段は、画像全体の第１の背景色とは異なる第２の背景色の所定の情報部分が複数ある場合に、複数の所定の情報部分を複数の色に変えて表示させることを特徴とする。
【００１４】
請求項７記載の発明は、上記請求項１乃至５いずれか記載の発明において、上記所定の情報は、文字、数字、記号、シンボルマーク、及び画像の少なくとも１つであることを特徴とする。
【００１５】
請求項８記載の発明は、所定の情報を含んだ画像を入力して表示する表示装置での表示方法であって、上記入力した画像中から画像全体の第１の背景色を判断する背景色判断工程と、上記入力した画像中から上記背景色判断工程で判断した画像全体の第１の背景色とは異なる第２の背景色を区分して抽出する抽出工程と、上記入力した画像を表示させる際、上記抽出工程で抽出した当該第２の背景色内を、所定の背景色のみで表示させた後に、所定の情報部分を加えた表示に移行させる表示制御工程とを有したことを特徴とする。
【００１６】
請求項９記載の発明は、上記請求項８記載の発明において、上記第２の背景色内には、所定の情報が含まれていることを特徴とする。
【００１７】
請求項１０記載の発明は、上記請求項８または９記載の発明において、上記所定の情報は、文字、数字、記号、シンボルマーク、及び画像の少なくとも１つであることを特徴とする。
【００１８】
請求項１１記載の発明は、所定の情報を含んだ画像を入力して表示する表示装置が内蔵するコンピュータが実行するプログラムであって、上記入力した画像中から画像全体の第１の背景色を判断する背景色判断ステップと、上記入力した画像中から上記背景色判断ステップで判断した画像全体の第１の背景色とは異なる第２の背景色を区分して抽出する抽出ステップと、上記入力した画像を表示させる際、上記抽出ステップで抽出した当該第２の背景色内を、所定の背景色のみで表示させた後に、所定の情報部分を加えた表示に移行させる表示制御ステップとをコンピュータに実行させることを特徴とする。
【００１９】
請求項１２記載の発明は、上記請求項１１記載の発明において、上記第２の背景色内には、所定の情報が含まれていることを特徴とする。
【００２０】
請求項１３記載の発明は、上記請求項１１または１２記載の発明において、上記所定の情報は、文字、数字、記号、シンボルマーク、及び画像の少なくとも１つであることを特徴とする。
【発明の効果】
【００２１】
本発明によれば、見せたくない情報を隠すことができ、さらには画像記憶のための容量を小さく抑えながら、より表現力のある画像を表示させることが可能となる。
【発明を実施するための最良の形態】
【００２２】
以下本発明をＤＬＰ（登録商標）方式のデータプロジェクタ装置に適用した場合の一実施形態について図面を参照して説明する。
【００２３】
図１は、本実施形態に係るデータプロジェクタ装置１０の概略機能構成である。１１は入出力コネクタ部であり、例えばピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ  Ｓｅｒｉａｌ  Ｂｕｓ）コネクタを含む。
【００２４】
入出力コネクタ部１１より入力される各種規格の画像信号は、入出力インタフェース（Ｉ／Ｆ）１２、システムバスＳＢを介し、スケーラとも称される画像変換部１３で投影に適した所定のフォーマットの画像信号に統一され、適宜表示用のバッファメモリである画像記憶部１４に記憶された後に、投影画像処理部１５へ送られる。
【００２５】
この際、ＯＳＤ（Ｏｎ  Ｓｃｒｅｅｎ  Ｄｉｓｐｌａｙ）用の各種キャラクタやポインタ等も必要に応じて画像記憶部１４で画像信号に重畳加工され、加工後の画像信号が投影画像処理部１５へ送られる。
【００２６】
投影画像処理部１５は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子（ＳＯＭ）であるマイクロミラー素子１６を表示駆動する。
【００２７】
一方、リフレクタ１７内に配置された、例えば高圧水銀灯を用いた光源ランプ１８が高輝度の白色光を出射する。この光源ランプ１８は、バラスト回路１９からの電力により交流駆動されるもので、光源ランプ１８の出射した白色光は、マイクロミラー素子１６での表示に同期して高速回転するカラーホイール２０を介して時分割で原色に着色され、インテグレータ２１で輝度分布が均一な光束とされた後にミラー２２で全反射して上記マイクロミラー素子１６に照射される。
【００２８】
そして、マイクロミラー素子１６での反射光で光像が形成され、形成された光像が投影レンズユニット２３を介して、投影対象となる図示しないスクリーンに投影される。
【００２９】
投影レンズユニット２３は、マイクロミラー素子１６で形成された光像を拡大してスクリーン等の対象に投影するものであり、合焦位置及びズーム位置（投影画角）を任意に可変できるものとする。
【００３０】
すなわち、投影レンズユニット２３内の図示しないフォーカスレンズ及びズームレンズは共に光軸方向に沿って前後に移動することで制御されるもので、それらレンズはステッピングモータ（Ｍ）２４の回動駆動により移動する。
【００３１】
また、上記光源ランプ１８を点灯させるためのバラスト回路１９への電力供給、上記カラーホイール２０用のモータ（Ｍ）２５の回転駆動、カラーホイール２０の回転周端に設けられたマーカセンサ２６からのセグメント境界の検出、及び上記ステッピングモータ２４の回動駆動をいずれも投影光処理部２７が実行する。
【００３２】
なお、上記投影画像処理部１５は、マイクロミラー素子１６で表示する色成分毎の画像の切換タイミングに同期したランプ同期信号を上記バラスト回路１９及び投影光処理部２７へ出力する。
【００３３】
上記各回路の動作すべてをＣＰＵ２８が制御する。このＣＰＵ２８は、ＤＲＡＭで構成されたメインメモリ２９、動作プログラムや各種定型データ等を記憶した電気的書換可能な不揮発性メモリで構成されたプログラムメモリ３０を用いてこのデータプロジェクタ装置１０内の制御動作を実行する。
【００３４】
上記ＣＰＵ２８は、操作部３１からの操作信号に応じて各種投影動作を実行する。この操作部３１は、データプロジェクタ装置１０の筐体本体に設けられたキー操作部と、このデータプロジェクタ装置１専用の図示しないリモートコントローラからの赤外線変調信号を受信する赤外線受信部とを含み、ユーザがキー操作部またはリモートコントローラを介して操作したキーに基づくキーコード信号をＣＰＵ２８へ直接出力する。
【００３５】
上記ＣＰＵ２８はさらに、上記システムバスＳＢを介して音声処理部３２と接続される。
【００３６】
音声処理部３２は、ＰＣＭ音源等の音源回路を備え、投影動作時に与えられる音声データをアナログ化し、スピーカ部３３を駆動して拡声放音させ、あるいは必要によりビープ音等を発生させる。
【００３７】
次に上記実施形態の動作について説明する。  
図２は、このデータプロジェクタ装置１０の入出力コネクタ部１１中のＵＳＢコネクタに図示しないＵＳＢメモリが装着され、当該ＵＳＢメモリ内に記憶されている一連の画像データファイルから適宜画像データを読出して投影動作を行なう時の基本的な処理内容を示すものである。この図２の動作は、ＣＰＵ２８がプログラムメモリ３０から読出した動作プログラムをメインメモリ２９に展開して実施することで制御される。
【００３８】
その当初にＵＳＢメモリから１フレーム分の画像データを読出して入力する（ステップＳ１０１）。
【００３９】
入力した画像データを入出力インタフェース１２、システムバスＳＢを介し、表示用のバッファとして機能する画像記憶部１４に展開して記憶させた上で画像全面を走査し（ステップＳ１０２）、画像中の背景、マスクパターン、文字列、グラフその他を区分して認識し、特にマスクパターン部分を抽出する（ステップＳ１０３）。ここで上記マスクパターンとは、背景色とは異なる色を用いて文字列を取り囲んだパターン部分を指す。
【００４０】
図３は、入力された画像データの内容の一例を示すものである。この画像データＩＭ１１では、２つのマスクパターン部ＭＰ０１，ＭＰ０２に文字列「Ｎｏｎｐｒｏｆｉｔ  Ｏｒｇａｎｉｚａｔｉｏｎ」「Ｎｏｔ−ｆｏｒ−Ｐｒｏｆｉｔ  Ｏｒｇａｎｉｚａｔｉｏｎ」がそれぞれ配置されている状態を示す。
【００４１】
ＣＰＵ２８は、上記ステップＳ１０３での認識とその後の抽出処理により、マスクパターン部が少なくとも１つあったか否かを判断する（ステップＳ１０４）。ここで、少なくとも１つのマスクパターン部があったと判断すると、まず認識したすべてのマスクパターン部をその下地の色のみで文字列をなくした状態の画像データを作成し、マイクロミラー素子１６で対応する光像を形成して投影レンズユニット２３より投影させる（ステップＳ１０５）。
【００４２】
図４は、このとき投影される画像データＩＭ１１の一部を示すものであり、上記図３に示した元の画像データＩＭ１１に対して、マスクパターン部ＭＰ０１，ＭＰ０２で本来あるべき文字列が投影されておらず、単に周囲との色が異なる矩形部となっていることがわかる。
【００４３】
このように投影当初には、画像データＩＭ１１中のマスクパターン部ＭＰ０１，ＭＰ０２の文字列をあえて意図的に投影しないものとする。
【００４４】
その後、全マスクパターン部の数（図３では「２」）を代数「Ｎ」として設定し（ステップＳ１０６）、続けてマスクパターン部の位置指定を行なう変数ｎに初期値「１」を代入する（ステップＳ１０７）。
【００４５】
次いで、変数ｎの値で指定されるｎ番目のマスクパターン部で本来あるべき文字列が徐々に表れるように画像記憶部１４で記憶する画像データを複数段階に分けて加工し、その加工過程の画像データを投影レンズユニット２３より投影させる（ステップＳ１０８）。
【００４６】
図５は、こうしてマスクパターン部ＭＰ０１で本来の文字列が徐々に表れるように投影されている過程の１段階を例示するものである。ここでは、文字列がその上端側から徐々に下端側に向かって表れる、所謂「ワイプ」と呼称される手法により文字列が表れる場合を例示している。
【００４７】
また、その他にも、例えば当該マスクパターン内の全面で対応する文字列が徐々に下地色から浮かび上がるようにして表れる、所謂「フェード」と呼称される手法や、大きなモザイク模様が徐々に小さなモザイク模様になることで最終的に文字列が表れる、所謂「モザイク」と呼称される手法を用いるものとしてもよい。
【００４８】
いずれの手法を採るにしても、文字列が徐々に表れる過程を複数段階に分けて加工するものと上述したが、その段階数をでき得る限り大きく設定して無段階的に変化するように見えた方がより自然な描写となる一方で、装置側での処理と描写に要する時間は増大することとなるので、マスクパターン部及びその内部の文字列の大きさ等に応じて段階数を適宜設定するものとする。
【００４９】
図６は、こうしてマスクパターン部ＭＰ０１で本来の文字列が完全に表れた状態を示している。
【００５０】
こうしてｎ（ここでは「１」）番目のマスクパターン部で本来の文字列が表れるような投影を行なった後、変数ｎの値を「＋１」更新設定する（ステップＳ１０９）。そして、その更新設定した変数ｎの値が全マスクパターン部の数Ｎを超えていないことを確認した上で（ステップＳ１１０）、再び上記ステップＳ１０８からの処理に戻り、新たなｎ番目のマスクパターン部でも同様の処理を実行する。
【００５１】
こうしてステップＳ１０８〜Ｓ１１０の処理を代数Ｎで表される数だけ繰返して実行することで、全Ｎ個のマスクパターン部で１つずつ順番に本来の文字列が表れるような投影を実行する。
【００５２】
そして、Ｎ個のマスクパターン部での投影動作を実行した後、上記ステップＳ１１０で変数ｎの値が代数Ｎの値を超えていると判断すると、その時点であらためて本来の入力された通りの画像を投影している状態となる（ステップＳ１１１）。
【００５３】
この投影状態から、操作部３１で次の画像への切換えを指示するキー操作がなされたか否かを判断し（ステップＳ１１２）、操作されていなければ上記ステップＳ１１１からの処理に戻る、という処理を繰返し実行することで、投影を続行しながら次の画像への切換えが指示されるのを待機する。
【００５４】
そして、次の画像への切換えが指示されたと判断した場点で、上記ステップＳ１０１からの処理に戻り、以後同様の処理を実行する。
【００５５】
なお、上記ステップＳ１０４で画像中にマスクパターン部が１つもなかったと判断した場合には、上記ステップＳ１０５〜Ｓ１１０の処理は省略して直接ステップＳ１１１に進み、入力された通りの画像をそのまま投影させる。
【００５６】
以上に詳記した如く本実施形態によれば、画像全体の背景色とは異なる背景色の文字部分をマスクパターン部として区分して抽出し、マスクパターン部内に文字列がない状態から文字状態が原画像の通り配置された状態までを装置の側で処理して投影を実行するものとした。
【００５７】
そのため、見せたくない情報を隠すことができ、さらにはマスクパターン部内の文字列の有無によって複数の画像を記憶するなどの必要がなく、画像記憶のための容量を小さく抑えながら、より表現力のある画像を表示させることが可能となる。
【００５８】
加えて、上記実施形態では、マスクパターン部内の文字列が全くない状態から原画像の通りに配置された状態までを複数段階に分けて徐々に文字列が表れるように描写するものとしたので、何の文字列もないマスクパターン部に唐突に文字列が表れるような描写を行なう場合に比較して、より自然で訴求力のある表現の投影が可能となる。
【００５９】
加えて、上記実施形態では、マスクパターン部が複数ある場合に、上記文字が表れるような描写をマスクパターン部１つずつ順番に行なうものとしたので、投影内容に対する注視を得易く、投影でアピールしたい点をより深く理解してもらうことができる。
【００６０】
なお、上記実施形態とは異なり、複数のマスクパターン部で一括して文字列が徐々に表れるような処理を実行することも考えられる。  
図７は、上記図３のマスクパターン部ＭＰ０１，ＭＰ０２で一括してワイプ処理を行なっている過程の１段階を例示するものである。同図では、マスクパターン部ＭＰ０１，ＭＰ０２共に一括して画面の左側から右側に向けて徐々に文字列が表れるようにワイプ処理を施している過程を示している。
【００６１】
上記マスクパターン部ＭＰ０１，ＭＰ０２では、内部の文字列「Ｎｏｎｐｒｏｆｉｔ  Ｏｒｇａｎｉｚａｔｉｏｎ」「Ｎｏｔ−ｆｏｒ−Ｐｒｏｆｉｔ  Ｏｒｇａｎｉｚａｔｉｏｎ」が並列的に示された等価のものとして扱われていることから、これらが等しい内容であることを視覚的にも表現できる。
【００６２】
また、これも上記実施形態とは異なるが、複数のマスクパターン部がある場合に、上述した各種の処理を施した後に等するマスクパターン部内の文字列自体を各マスクパターン毎に異なる色を用いて投影するものとしてもよい。
【００６３】
図８は、上記図３のマスクパターン部ＭＰ０１とマスクパターン部ＭＰ０２とで文字列の色を異ならせて投影している状態を例示するものである。  
このように、文字列がない状態のマスクパターン部から徐々に本来の文字列が表れるような処理を施した場合に、最終的に表れた文字列の色がマスクパターン部の位置毎に異なるものとすれば、例えば図８に示すような似通った内容の文字列であっても、容易にそれらを判別して視認することができるため、内容を混同して認識してしまうのを確実に回避できる。
【００６４】
なお、上記実施形態では、認識したマスクパターン部をその下地の色のみで文字列をなくした状態の画像データを作成して投影させるものとしたが、マスクパターン部の色を周囲と同じ画像中の背景色に変えてもよく、それ以外の色に変えてもよい。また、単色ではなく複数色が混合されたパターンに変えてもよい。
【００６５】
また、上記マスクパターン部ＭＰ０１，ＭＰ０２を例に挙げて複数の文字からなる文字列がマスクパターン部内にある場合の処理について説明したが、本発明はこれに限るものではなく、画像全体の背景色とは異なる背景色のマスクパターン部内に文字が１つだけある場合や、文字に代えて数字、記号、シンボルマーク、画像等がある場合でも、同様に適用することが可能である。
【００６６】
さらに、上記実施形態はデータプロジェクタ装置に適用して画像の投影を行なう場合について説明したが、本発明はこれに限ることなく、画像の状態を経時的に変化させることが可能な広い意味での表示装置、例えばメモリカードとカラー液晶パネルを用いた電子式フォトスタンドなどのディスプレイ装置にも適用可能となる。
【００６７】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件による適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００６８】
【図１】本発明の一実施形態に係るデータプロジェクタ装置の電子回路の機能構成を示すブロック図。
【図２】同実施形態に係るＵＳＢメモリ装着時の画像投影に関する処理内容を示すフローチャート。
【図３】同実施形態に係る投影画像を例示する図。
【図４】同実施形態に係る投影画像の一部を例示する図。
【図５】同実施形態に係る投影画像の一部を例示する図。
【図６】同実施形態に係る投影画像の一部を例示する図。
【図７】同実施形態に係る投影画像の一部を例示する図。
【図８】同実施形態に係る投影画像の一部を例示する図。
【符号の説明】
【００６９】
１０…データプロジェクタ装置、１１…入出力コネクタ部、１２…入出力インタフェース（Ｉ／Ｆ）、１３…画像変換部、１４…画像記憶部、１５…投影画像処理部、１６…マイクロミラー素子（ＳＯＭ）、１７…リフレクタ、１８…光源ランプ、１９…バラスト回路、２０…カラーホイール、２１…インテグレータ、２２…ミラー、２３…投影レンズユニット、２４…ステッピングモータ（Ｍ）、２５…モータ（Ｍ）、２６…マーカセンサ、２７…投影光処理部、２８…ＣＰＵ、２９…メインメモリ、３０…プログラムメモリ、３１…操作部、３２…音声処理部、３３…スピーカ部、ＩＭ１１…画像データ、ＭＰ０１，ＭＰ０２…マスクパターン部、ＳＢ…システムバス。
【図１】
2010026239.tif 000003
【図２】
2010026239.tif 000004
【図３】
2010026239.tif 000005
【図４】
2010026239.tif 000006
【図５】
2010026239.tif 000007
【図６】
2010026239.tif 000008
【図７】
2010026239.tif 000009
【図８】
2010026239.tif 000010